(57)【要約】【課題】  浴槽面、その他の浴室付帯設備の汚垢を効率よく洗浄し、その作業の手間や労力を低減することができる浴室内の洗浄方法を提供すること。【解決手段】  本発明の浴室内の洗浄方法は、１０ｃｍの距離をおいた吹き掛け面に９８Ｐａ〜１．７ＭＰａの範囲の圧力を、吹き掛け液によって与えることのできる液吐出手段で界面活性剤とキレート剤を必須成分として含有する洗浄液を浴槽及び／又は浴室付帯設備に吹き掛けることを特徴とするものである。【選択図】  図５
2005185352.tif 000002
【特許請求の範囲】
【請求項１】
１０ｃｍの距離をおいた吹き掛け面に９８Ｐａ〜１．７ＭＰａの範囲の圧力を、吹き掛け液によって与えることのできる液吐出手段で界面活性剤とキレート剤を必須成分として含有する洗浄液を浴槽及び／又は浴室付帯設備に吹き掛けて洗浄を行う浴室内の洗浄方法。
【請求項２】
上記液吐出手段における吐出ノズル孔の吐出口の総面積が０．１ｍｍ2以上である請求項１記載の浴室内の洗浄方法。
【請求項３】
上記吐出ノズル孔の個々の吐出口の吹き掛け液は、１０ｃｍの距離をおいた吹き掛け面に９８Ｐａ以上の圧力を与えることができるものである請求項２記載の浴室内の洗浄方法。
【請求項４】
上記界面活性剤及びキレート剤は液溶解可能な固形洗剤に含まれ、該固形洗剤を上記液吐出手段における吐出ノズル孔までに至る吹き掛け液の流路に配してなる請求項１〜３の何れかに記載の浴室用の洗浄方法。
【請求項５】
上記界面活性剤及びキレート剤は液体洗剤に含まれ、該液体洗剤の供給口を上記液吐出手段における吐出ノズル孔までに至る吹き掛け液の流路に配してなる請求項１〜３の何れかに記載の浴室内の洗浄方法。
【発明の詳細な説明】
【技術分野】
【０００１】
本発明は、浴槽及び浴室付帯設備を清掃洗浄する浴室内の洗浄方法に関するものであり、より詳細には、水道等を利用した所定性能を有する液吐出手段で、洗浄効果の高い洗浄液を被洗浄面に吹き掛けることで汚れを落とす浴室内の洗浄方法に関するものである。
【背景技術】
【０００２】
浴室掃除は、屈み、中腰、しゃがみ等の姿勢が多く強いられ苦痛であり、床面が濡れていると転倒等の危険がある。また、浴槽掃除では浴槽外部から洗浄する場合上半身を深く前屈しなければならない。浴槽内部に入って掃除する場合、裸足になるか靴を履く必要がある。このように浴室掃除は身体的苦痛や面倒くささが存在し、各種清掃補助手段が提案されている。洗剤とスポンジを用いて多くの家庭で掃除がされているが、スポンジに柄が付いた掃除姿勢が楽になるものが提案されている。しかしながら、洗浄対象面（被洗浄面）に力が十分に伝達せず、洗浄力が不足したり、浴槽手前面では反って柄を持つことで清掃行為自体を困難にしている。
【０００３】
従来の清掃方法から脱した新たな清掃方法として水流を活用した洗浄方法がいくつか提案されている。例えば、薬剤を含む水またはお湯を吐出可能である吐水装置が提案され、その吐出装置で薬剤を界面活性剤に代えることで浴槽の洗浄ができることを提案している（例えば、特許文献１を参照。）。液体洗剤を吸引して水と混合する吸引混合機構を有し、その洗浄液をシャワーヘッドより出して洗浄をするシャワーヘッドが提案されている（例えば、特許文献２を参照）。また、浴槽洗浄用途に使用するものではないが、それぞれ洗浄液を吹き掛けて吐出する為の機構を有するシャワーヘッドが提案されている（例えば、特許文献３及び４を参照）。これらはシャワーヘッド、洗浄剤導入機構について記載されるが、その洗浄効果は示されていない。
【０００４】
上記各先行技術によれば、シャワー装置より吐出される水流に洗剤が供給され洗浄液がシャワー装置より吐出されれば身体や頭髪、浴槽などが洗浄可能であるとしている。しかしながら、前述の先行特許技術において洗浄作業を行う場合、界面活性剤を浴槽洗浄用途に用いているが、洗浄剤として界面活性剤のみでは十分な洗浄効果は得られない。また液体洗剤を用いているが、洗剤が規定されてなく、汚垢に対する水圧も規定されていない。このため、洗剤と水を混合した洗浄液を掛けるだけの洗浄効果に留まる。また、浴室・浴槽洗浄用途ではなく身体・頭髪洗浄用としているため、浴室や浴槽に対する洗浄力は期待できない。
【０００５】
このように、洗剤と水を混合し洗浄液として吐出することで洗浄をする手段は手間や労力の低減、利便性の向上は図られているが、現在まで浴槽および浴室付帯設備の汚れを充分に洗浄できない。
【特許文献１】特開２０００−３０１０３１号公報
【特許文献２】特開平１１−１６９７５１号公報
【特許文献３】特開平１０−２５２１２１号公報
【特許文献４】特開平６−２０９８７３号公報
【発明の開示】
【発明が解決しようとする課題】
【０００６】
従って、本発明は上記課題に鑑み、浴槽面、その他の浴室付帯設備の汚垢を効率よく洗浄し、その作業の手間や労力を低減することができる浴室内の洗浄方法を提供することを目的とするものである。
【課題を解決するための手段】
【０００７】
本発明者等は、１０ｃｍの距離をおいた吹き掛け面に９８Ｐａ〜１．７ＭＰａの範囲で圧力を与えることのできる液吐出手段で界面活性剤とキレート剤を必須成分として含有する洗浄液を浴槽及び／又は浴室付帯設備に吹き掛けると、浴槽面、その他の浴室付帯設備の汚垢を効率よく確実に洗浄でき、その浴室内での作業の手間や労力を低減することができることを見出し、本発明に至ってものである。
即ち、本発明の浴室内の洗浄方法は以下の構成、又は構造を有することを特徴とするものである。
【０００８】
（１）．１０ｃｍの距離をおいた吹き掛け面に９８Ｐａ〜１．７ＭＰａの範囲の圧力を、吹き掛け液によって与えることのできる液吐出手段で界面活性剤とキレート剤を必須成分として含有する洗浄液を浴槽及び／又は浴室付帯設備に吹き掛けて洗浄を行う浴室内の洗浄方法。
【０００９】
（２）．上記液吐出手段における吐出ノズル孔の吐出口の総面積が０．１ｍｍ2以上である上記（１）記載の浴室内の洗浄方法。
（３）．上記吐出ノズル孔の個々の吐出口の吹き掛け液は、１０ｃｍの距離をおいた吹き掛け面に９８Ｐａ以上の圧力を与えることができるものである上記（２）の浴室内の洗浄方法。
【００１０】
（４）．上記界面活性剤及びキレート剤は液溶解可能な固形洗剤に含まれ、該固形洗剤を上記液吐出手段における吐出ノズルまでに至る吹き掛け液の流路に配してなる上記（１）〜（３）の何れかに記載の浴室用の洗浄方法。
（５）．上記界面活性剤及びキレート剤は液体洗剤に含まれ、該液体洗剤の供給口を上記液吐出手段における吐出ノズルまでに至る吹き掛け液の流路に配してなる上記（１）〜（３）の何れかに記載の浴室内の洗浄方法。
【発明の効果】
【００１１】
本発明の浴室内の洗浄方法によれば、従来の掃除方法に比べ、シャワー装置等の液吐出手段より出る洗浄液を浴槽内や付帯設備等の被洗浄面に吹き掛けるだけの極めて簡単な操作で済む。掃除行動時の無理な体勢がなく、安全に清掃が完了できる。一般的に家庭に存在する吐出手段（いわゆるシャワー装置）を利用することができるので、大掛かりな改築や入浴行動を邪魔するような場所を占拠することなく利用者にとって負担が少ない。界面活性剤だけでなくキレート剤を洗浄液の必須成分としているためシャワー装置等の吐出手段にて十分な洗浄効果を発揮する。即ち、適度なシャワー水圧や水流量、及び界面活性剤とキレート剤を必須成分として含有する洗剤を組み合わせることで初めて効果的な洗浄ができる。
【発明を実施するための最良の形態】
【００１２】
以下、本発明に係る浴室内の洗浄方法の最良の形態を、図面を参照しながら詳説する。尚、本発明の浴室内の洗浄方法は以下の形態に限るものではない。
図１は、本発明に係る浴室内の洗浄方法に使用されるシャワー装置（吐出手段）の一部を切り欠いて断面を示した斜視図である。
図２は、本発明に係る浴室内の洗浄方法に使用されるシャワー装置及び別に洗剤の収容部が設けた吐出手段の図である。
図３（ａ）〜（ｃ）は、本発明に係る浴室内の洗浄方法に使用されるシャワー装置（吐出手段）の斜視図、（ａ）のＡ−Ａ線に沿った断面図、及び別の態様を示すシャワー装置の斜視図である。
図４（ａ）及び（ｂ）は、図１〜図３のシャワー装置に使用される吐出部の平面図、及び吐出部から吐出態様を示す斜視図である。
図５は、本発明に係る浴室内の洗浄方法の実施例に使用されるシャワー装置（吐出手段）の概略図である。
【００１３】
本発明の浴室内の洗浄方法は、図１〜図５に示すように、１０ｃｍの距離をおいた吹き掛け面に９８Ｐａ〜１．７ＭＰａの範囲の圧力を吹き掛け液で与えることのできるシャワー装置（液吐出手段）１、１０、２０、３１、４０で界面活性剤とキレート剤を必須成分として含有する洗浄液を浴槽及び／又は浴室付帯設備に吹き掛けて洗浄を行うものである。また、上記シャワー装置ヘッド液吐出手段が１０ｃｍの距離をおいて吹き掛け面に９８Ｐａ以上の圧力を与えることのできる吐出口の総面積が０．１ｍｍ以上の吐出部（複数の吐出孔ａの総面積）２を有することが好ましい。
【００１４】
先ず、本発明の浴室内の洗浄方法に使用するシャワー装置の各態様について説明する。
図１に示すシャワー装置１は、握り本体の先端に吐出部２が形成され、アダプター６を介して供給ホース５が握り本体に接続されている。握り本体は中空に形成され、そのチャンバー３は供給ホース５内と連通されると共に吐出部２の吐出孔ａと連通している。また、本体チャンバー３には固形の洗剤４が収容され、固形洗剤４は後述するように界面活性剤とキレート剤とを必須成分とするものである。従って、供給ホース５から供給された液体（水）は固形洗剤４の一部を溶解した後に洗浄液となり、上述したように吐出部２の吐出孔ａから上述の条件の下で噴射される。尚、上述の条件を満たす限り、供給ホース５は水道管等に直接取り付けても良い。
【００１５】
図２に示すシャワー装置１０は、図１に示すシャワー装置１とほぼ同様な構造を採るが、シャワー装置１０にはその握り本体内に固形洗剤４は収容されていない。
図２に示すように供給ホース５はホース１１と連結され、ホース１１は収納ボックス１２の底部で連結される。収納ボックス１２の上蓋には供給パイプ１４が連結される。収納ボックス１２内にはボックス内より一回り小径な固形洗剤４が収納されている。供給パイプ１４からの液体（水）は収納ボックス１２内に導入され、固形洗剤４の一部を溶解した後に洗浄液として、ホース１１、供給ホース５を流通してシャワー装置１０の握り本体内に導入される。そして、上述したように吐出部２の吐出孔ａから上述の条件の下で噴射される。尚、上述の条件を満たす限り、供給パイプ５は水道管等に直接取り付けても良い。
【００１６】
図３に示すシャワー装置２０は、図１に示すシャワー装置１とほぼ同様な形状を採るが、シャワー装置２０にはその握り本体内に界面活性剤及びキレート剤を含む液体洗剤２５が収容される。
図３（ｂ）に示すシャワー装置２０の握り本体の外面には押ボタン２１が設けられ、押ボタン２１は握り本体内の押圧センサ２２と接触している。押圧センサ２２はリード線３０を介して供給管２８の開閉弁２９に信号を送信している。押圧センサ２２が押ボタン２１からの押圧付勢を検知したとき、開閉弁２９に信号を送信してその弁を解放する。
また、シャワー装置２０の握り本体内には液体洗剤２５の収容室２４が設けられ、収容室２４の底面には上記供給管２８が取り付けられる。また、供給管２８の液供給口は、供給ホース５内と吐出部２の吐出孔ａとを連通させる本体内の通路２６に突き出ている。また、供給管２８の液供給口の近傍の通路を狭くするための絞り材２７が設けられる。これにより、所定の速度で液が通路２６を流れ、押ボタン２１により開閉弁２９を解放すると、その液流により生じる供給管２８の供給口に負圧が生じ、その負圧により液体洗剤２５が所定量分だけ通路２６に流れ出る。
更に、図３（ｃ）に示すシャワー装置３１のように、図３（ｂ）と同様な押ボタン３３及び液体洗剤の収容部３２を供給ホース５と３４との間に設けても良い。
尚、図３に示すシャワー装置２０、３１は、押ボタン２１、３３によって液体洗剤２５を通路２６に注入できるようにしたが、このようなボタンを設けずに、自動的に一定量の液体洗剤２５が供給管２８から注入されるようにしても良い。
【００１７】
図１〜図３に示すシャワー装置１、１０、２０、及び３１では、吐出部２での吐出面をほぼ円形状としたが、図４（ａ）示す吐出面２’のように楕円形状としても良い。また、吐出部２のノズル孔ａは単一孔でも良く、３個、４個、６個、それ以上の複数孔としても良い。好ましくは１〜１４４個の範囲、特に好ましくは、１〜６９個の範囲とすると良い。更にそのノズル孔ａの配置は図４（ａ）に示すように多様な位置に配することができ、また、ノズル孔ａの吐出口の形状は円形に限らず、図４（ｂ）に示すように三角形、正方形、長方形、その他の形状であっても良い。更に、図４（ｃ）に示すように吐出部２の面に対してストレートに液を噴射するようにしても良く、また拡散するように液を噴射しても良い。
【００１８】
上記ノズル孔ａにおける吐出口総面積は０．１ｍｍ2以上、好ましくは０．１〜１８０ｍｍ2の範囲にあると良い。このノズル孔ａの吐出口を有するシャワー装置１、１０、２０、３１より、後述する界面活性剤とキレート剤を必須成分として含有する洗浄液をノズル孔ａの吐出口と吹き掛け面（又は被洗浄面）の距離が１０ｃｍになるようにした時、９８Ｐａ〜１．７Ｍｐａの範囲で圧力を与えることで洗浄を十分に達成することができる。
【００１９】
吐出口総面積に関しては、０．１ｍｍ2未満では洗浄時間が長く掛かるので０．１ｍｍ2以上が望ましいが、より良くは０．４６〜３２．６ｍｍ2がよい。さらには２〜１０ｍｍ2がよい。また、１０ｃｍはなれた被洗浄面に対しての圧力に関しては、洗浄力の点で９８Ｐａ以上が望ましく、圧力はより高いほど良いが、強すぎると洗浄液がはね返り、服などを濡らしたり目に入る危険性があり、１．７ＭＰａ以下が望ましい。より良くは５４０Ｐａ〜９８ｋＰａ、さらには５４０Ｐａ〜２０ｋＰａの範囲が良い。
【００２０】
本発明に用いる固形洗剤４又は液体洗剤２５の界面活性剤は、皮脂汚れ等に対して、効果的な洗浄力を発揮せしめるために使用するものである。本発明に用いることができる代表的な界面活性剤を下記（１）〜（４）に具体的に例示する。これらは、単独で、または２種以上を組み合わせて使用することができる。
（１）陰イオン性界面活性剤：アルキル硫酸エステル塩、ポリオキシエチレンアルキル硫酸エステル塩、アルキルベンゼンスルホン酸塩、α−オレフィンスルホン酸塩、脂肪酸塩、α−スルホ脂肪酸塩、アルキルエーテルカルボン酸塩、アルキルリン酸エステル塩、ポリオキシエチレンアルキルリン酸エステル塩、ジアルキルスルホコハク酸エステル塩、アルキルスルホコハク酸塩、アルケニルコハク酸塩、Ｎ−アシルアミノ酸塩、Ｎ−アシルメチルタウリン塩等が挙げられ、これら陰イオン性界面活性剤の対イオン（陽イオン）は、アルカリ金属イオン、アルカリ土類金属イオン、アルカノールアミンイオン、アンモニウムイオン等である。
【００２１】
（２）陽イオン性界面活性剤：アルキルトリメチルアンモニウム塩、ジアルキルジメチルアンモニウム塩、アルキルアンモニウム塩、アルキルベンザルコニウム塩、アルキルベンゼトニウム塩、アルキルピリジニウム塩、アルキルイミダゾリニウム塩等が挙げられ、これらの陽イオン性界面活性剤の対イオン（陰イオン）は、ハロゲンイオン等である。
（３）両性界面活性剤：アルキルカルボキシベタイン、アルキルスルホベタイン、アルキルヒドロキシスルホベタイン、アルキルアミドベタイン、アルキルイミダゾリニウムベタイン等が挙げられる。
（４）非イオン性界面活性剤：ポリオキシエチレンアルキルエーテル、ポリオキシエチレンポリオキシプロピレンアルキルエーテル、ポリオキシエチレンアルキルフェニルエーテル、脂肪酸ポリグリセリンエステル、脂肪酸ショ糖エステル、脂肪酸アルカノールアミド、アルキルアミンオキサイド、アミドアミンオキサイド等が挙げられる。
これらの界面活性剤の疎水基の炭素鎖長は、Ｃ8〜Ｃ22が好ましく、より好ましくはＣ10〜Ｃ18である。
【００２２】
これらの界面活性剤の含有量は、洗剤全量に対して、０．０１〜１５質量％（以下、「％」と略する）とすることが好ましく、更に好ましくは、０．１〜１０％とすることが望ましい。これらの界面活性剤の含有量が０．０１％未満であると、洗浄力が充分でなくなり、また、１５％を越えると、それ以上の効果が得られず、経済的でなく、好ましくない。
【００２３】
また、キレート剤は、複合した石鹸カス汚れ等に対して優れた洗浄性能を発揮せしめるものである。本発明に用いるキレート剤の具体例としては、金属イオン封鎖剤又はその塩が使用される。金属イオン封鎖剤としては、通常使用されるものであれば特に限定されないが、例えば、有機カルボン酸類、アミノカルボン酸類、ホスホン酸類、ホスホノカルボン酸類、リン酸類等が挙げられる。有機カルボン酸類としては、酢酸、アジピン酸、モノクロル酢酸、シュウ酸、コハク酸、オキシジコハク酸、カルボキシメチルコハク酸、カルボキシメチルオキシコハク酸等、またグリコール酸、ジグリコール酸、乳酸、酒石酸、カルボキシメチル酒石酸、クエン酸、リンゴ酸、グルコン酸等のヒドロキシカルボン酸物質を挙げることができる。アミノカルボン酸類としては、ニトリロトリ酢酸、イミノジ酢酸、エチレンジアミンテトラ酢酸、ジエチレントリアミノペンタ酢酸、Ｎ−ヒドロキシエチルエチレンジアミン酢酸、エチレンジアミンテトラプロピオン酢酸、トリエチレンテトラミンヘキサ酢酸、エチレングリコールジエーテルジアミンテトラ酢酸、ヒドロキシエチルイミノジ酢酸、シクロヘキサン−１，２−ジアミンテトラ酢酸、ジエンコル酸等を挙げることができる。ホスホン酸類としては、エタン−１、１−ジホスホン酸、エタン−１、１、２−トリホスホン酸、１−ヒドロキシエタン−１、１−ジホスホン酸およびその誘導体、１−ヒドロキシエタン−１、１、２−トリホスホン酸、エタン−１、２−ジカルボキシ−１、２−ジホスホン酸、メタンヒドロキシホスホン酸、アミノトリメチレンホスホン酸等を挙げることができる。ホスホノカルボン酸類としては、２−ホスホノブタン−１、２−ジカルボン酸、１−ホスホノブタン−２、３、４−トリカルボン酸、α−メチルホスホノコハク酸等を挙げることができる。リン酸類としては、オルソリン酸、ピロリン酸、トリポリリン酸、メタリン酸、ヘキサメタリン酸、フィチン酸等の縮合リン酸等を挙げることができる。これら金属イオン封鎖剤は、酸の形でも使用可能であるし、カリウム、ナトリウム等のアルカリ金属との塩、モノエタノールアミン、ジエタノールアミン、トリエタノールアミン等のアルカノールアミンとの塩等、塩基性物質との塩の形で使用することも可能である。これらのキレート剤は、単独で、または、２種以上を混合して用いることができる。
【００２４】
これらのキレート剤の含有量は、洗剤全量に対して、０．０１〜１５％とすることが好ましく、更に好ましくは、１〜１０％とすることが望ましい。これらのキレート剤の含有量が０．０１％未満であると、洗浄力が充分でなくなり、また、１５％を越えると、それ以上の効果が得られず、経済的でなく、好ましくない。
液体洗剤２５に使用する溶剤の具体例としては、特に制限されないが、例えば、ジエチレングリコールモノプロピルエーテル、ジエチレングリコールモノイソプロピルエーテル、ジエチレングリコ−ルモノブチルエ−テル、プロピレングリコ−ルジエチレングリコ−ルモノブチルエ−テル、ジプロピレングリコ−ルエチレングリコ−ルモノブチルエ−テル、ジエチレングリコールモノイソブチルエーテル、プロピレングリコ−ルジエチレングリコ−ルモノイソブチルエ−テル、ジプロピレングリコ−ルエチレングリコ−ルモノイソブチルエ−テル、ジエチレングリコ−ルモノ−ｓ−ブチルエ−テル、プロピレングリコ−ルジエチレングリコ−ルモノ−ｓ−ブチルエ−テル、ジプロピレングリコ−ルエチレングリコ−ルモノ−ｓ−ブチルエ−テル、ジエチレングリコ−ルモノ−ｔ−ブチルエ−テル、プロピレングリコ−ルジエチレングリコ−ルモノ−ｔ−ブチルエ−テル、ジプロピレングリコ−ルエチレングリコ−ルモノ−ｔ−ブチルエ−テル、トリエチレングリコールモノペンチルエーテル、テトラエチレングリコールモノペンチルエーテル、ペンタエチレングリコールモノペンチルエーテル、ペンタエチレングリコールプロピレングリコールモノペンチルエーテル、トリエチレングリコールモノイソペンチルエーテル、テトラエチレングリコールモノイソペンチルエーテル、ペンタエチレングリコールモノイソペンチルエーテル、ペンタエチレングリコールプロピレングリコールモノイソペンチルエーテル、トリエチレングリコールモノシクロペンチルエーテル、テトラエチレングリコールモノシクロペンチルエーテル、ペンタエチレングリコールプロピレングリコールモノシクロペンチルエーテル、トリエチレングリコールモノヘキシルエーテル、テトラエチレングリコールモノヘキシルエーテル、ペンタエチレングリコールモノヘキシルエーテル、ヘキサエチレングリコールプロピレングリコールモノヘキシルエーテル、トリエチレングリコールモノ（１，３−ジメチルブチル）エーテル、テトラエチレングリコールモノ（１，３−ジメチルブチル）エーテル、ペンタエチレングリコールモノ（１，３−ジメチルブチル）エーテル、ヘキサエチレングリコールプロピレングリコールモノ（１，３−ジメチルブチル）エーテル、トリエチレングリコールモノシクロヘキシルエーテル、テトラエチレングリコールモノシクロヘキシルエーテル、ペンタエチレングリコールモノシクロヘキシルエーテル、ヘキサエチレングリコールプロピレングリコールモノシクロヘキシルエーテル、テトラエチレングリコールモノヘプチルエーテル、ペンタエチレングリコールモノヘプチルエーテル、ヘキサエチレングリコールモノヘプチルエーテル、ヘプタエチレングリコールプロピレングリコールモノヘプチルエーテル、テトラエチレングリコールモノイソヘプチルエーテル、ペンタエチレングリコールモノイソヘプチルエーテル、ヘキサエチレングリコールモノイソヘプチルエーテル、ヘプタエチレングリコールプロピレングリコールモノイソヘプチルエーテル、テトラエチレングリコールモノ（３−メチルーヘキシル）エーテル、ペンタエチレングリコールモノ（３−メチルーヘキシル）エーテル、ヘキサエチレングリコールモノ（３−メチルーヘキシル）エーテル、ヘプタエチレングリコールプロピレングリコールモノ（３−メチルーヘキシル）エーテル、テトラエチレングリコールモノ（５−メチルーヘキシル）エーテル、ペンタエチレングリコールモノ（５−メチルーヘキシル）エーテル、ヘキサエチレングリコールモノ（５−メチルーヘキシル）エーテル、ヘプタエチレングリコールプロピレングリコールモノ（５−メチルーヘキシル）エーテル、テトラエチレングリコールモノオクチルエーテル、ペンタエチレングリコールモノオクチルエーテル、ヘキサエチレングリコールモノオクチルエーテル、オクタエチレングリコールプロピレングリコールモノオクチルエーテル、テトラエチレングリコールモノ（１−メチルヘプチル）エーテル、ペンタエチレングリコールモノ（１−メチルヘプチル）エーテル、ヘキサエチレングリコールモノ（１−メチルヘプチル）エーテル、オクタエチレングリコールプロピレングリコールモノ（１−メチルヘプチル）エーテル、テトラエチレングリコールモノ（２−エチルヘキシル）エーテル、ペンタエチレングリコールモノ（２−エチルヘキシル）エーテル、ヘキサエチレングリコールモノ（２−エチルヘキシル）エーテル、オクタエチレングリコールプロピレングリコールモノ（２−エチルヘキシル）エーテル、ジエチレングリコ−ルモノフェニルエ−テル、トリエチレングリコ−ルモノフェニルエ−テル、ジエチレングリコールモノベンジルエーテル等が挙げられる。これらの溶剤は、単独で、または、２種以上を混合して用いることができる。
【００２５】
これらの溶剤の含有量は、洗剤全量に対して、０．１〜３０％とすることが好ましく、更に好ましくは、１〜２０％とすることが望ましい。これらの溶剤の含有量が０．１％未満であると、洗浄力が充分でなくなり、また、３０％を越えると、それ以上の効果が得られず、経済的でなく、好ましくない。
【００２６】
更に、本発明の洗剤４、２５には、本発明の効果を損なわない範囲で、その目的や用途に応じて、種々の任意成分を含有することが可能である。用いることができる任意成分としては、安息香酸塩などの芳香族カルボン酸や、パラトルエンスルホン酸、キシレンスルホン酸、クメンスルホン酸などに代表される芳香族スルホン酸などのハイドロトロープ剤も好適に含有することができる。また、エタノール、種々の香料変性エタノール、イソプロパノール、ジエチレングリコールモノブチルエーテル、ヘキシレングリコールなどの水溶性溶剤も好適に含有することができる。更に、防汚効果を発揮する高分子化合物、香料、着色剤、酸化防止剤、防腐剤、殺菌剤、除菌剤、ｐＨ調整剤なども好適に含有することができる。また、本発明の洗剤は、複合した石鹸カス汚れ等に有効に洗浄効果を発揮せしめる点等から、組成物中に含有するキレート剤の解離平衡定数による至適ｐＨに設定することが必要であり、ｐＨを２．０〜１０．０とすることが望ましい。
【００２７】
このような洗浄液及び吐出手段を使用する本発明の浴室内の洗浄方法にあっては、そのシャワー装置の上記範囲での圧力調整をしながら被洗浄面に対して３〜８０ｃｍの範囲、更には５〜３０ｃｍの範囲の距離をおいて洗浄することが良い。上記範囲未満の距離では洗浄面積が狭くなり、上記範囲を超える距離では、吹き掛け圧が上記範囲を下回って来るおそれがあり、十分に洗浄されない部分が生じるおそれがある。
【００２８】
本発明の浴室内の洗浄方法にあっては洗浄機能を有する流体は家庭の浴室に存在するいわゆるシャワー装置を利用する形態を採ることができるが、シャワー装置でなくとも薬剤散布装置（蓄圧式農薬散布装置など）やスプレー（洗剤等霧状・泡状に吐出させるトリガースプレーや洗浄剤散布装置など）でも構わない。また、洗浄機能を有する流体は供給される流体自体の勢いで吐出させても電動または手動ポンプを用いて吐出させても良い。
【実施例】
【００２９】
次に実施例により本発明を更に詳細に説明するが、本発明はこれらの例によって何ら限定されるものではない。
＜モデル汚垢板の作成＞
下記表１に記載の組成物を使用し、以下の操作にしたがってモデル汚垢板を作成した。１．テストピース（ＦＲＰ板）を１０枚スライドガラス立てに立て掛け、２Ｌ容のモデル浴槽内に置く。
２．モデル汚垢Ａ成分を強攪拌して分散させた４２℃水溶液１Ｌをモデル浴槽に投入し、その後モデル汚垢Ｂ成分を投入。
３．スライドガラス立てに立て掛けられたテストピースをスライドガラス立てと一緒に手で５分程度振盪し、モデル汚垢をテストピースに付着させる。
４．空気中に一晩放置した汚垢板を評価用に使用する。
【００３０】
【表１】
2005185352.tif 000003
【００３１】
（実施例１〜６及び比較例１〜７）
＜洗浄力評価方法＞
種々の孔数・面積を備えた各種吐出部の接続された液体循環ポンプ（三相電機株式会社製ＰＭＤ−６１１Ｂ）に下記表２に示した組成の各種洗剤の２０％水溶液を供給し、吐出部より出る吐出液を１０ｃｍの距離から垂直にモデル汚垢板に５秒間吹き掛け、引き続き水道水により１０秒間すすいだ。その後水滴を充分振り落として水洗後モデル汚垢板表面の汚れの除去状態を下記の評価基準で目視評価した。
評価基準：５点：汚れがすべて落ちている。４点：汚れがかなり落ちている。３点：汚れが半分以上落ちているが残っている部分がある。２点：汚れがあまり落ちていない。１点：汚れがほとんど落ちない。
この評価基準において、３点以上であれば洗浄能力があると判断した。
【００３２】
＜浴槽内部を洗浄する場合の簡便さの評価＞
洗浄方法の違いによる洗浄力以外の掃除行動における利便性の指標として、使用時の疲労の無さ、洗浄液のはね返り等の使用性が挙げられる。
以下の評価法にて浴槽内部を洗浄する場合の簡便さ評価を行った。すなわち、パネル１０名を用いて、ＦＲＰ浴槽内部をスポンジ、柄付きスポンジ、水流洗浄のそれぞれの手段で掃除してもらった。掃除方法は、スポンジおよび柄付きスポンジでは市販の風呂用洗剤（ライオン（株）製ルックおふろの洗剤）を浴槽全体に適量掛け、スポンジおよび柄付きスポンジを水道水で濡らした物で浴槽内部をこすって掃除してもらった。水流洗浄では、先に述べた洗浄力評価方法に記載した方法で行なってもらった。清掃行動終了後、官能で以下の基準に従い評価してもらった。
洗浄時の疲労の無さとして以下の基準で判断した。
×…疲れる
△…どちらともいえない
○…疲れない。
表２に、洗剤の組成を種々組み合わせて洗浄力を検討した結果を示す。また、表２にあっては洗剤の原液組成（評価には５倍に希釈した洗浄液を使用）と洗浄力を示した。また、その洗浄方法による使用性を下記表３に示した。
【００３３】
【表２】
2005185352.tif 000004
【００３４】
【表３】
2005185352.tif 000005
【００３５】
結果を表２および表３に示す。従来のスポンジを用いた方法では洗浄力は満足いくものであるが、すでに記述しているとおり掃除の手軽さ、姿勢の楽さ、疲労の無さといった洗浄の簡便さの面で満足のいかないものである。また、柄付スポンジを用いた方法では洗浄の簡便さを多少改善してはいるが、かえって掃除しにくい場面や力の伝達の不十分さから、洗浄力を弱めてしまっている。本発明で使用する洗浄液では洗浄力を十分に得ることができるが、従来の界面活性剤（例えば、特開２０００−３０１０３１号公報に示されている界面活性剤）を用いただけの洗浄では、洗浄力を十分に得ることができない。上記結果より、洗浄液として界面活性剤とキレート剤の組合せ、更には界面活性剤とキレート剤と溶剤の組合せがシャワーを用いた洗浄に効果があることを見出した。
【００３６】
（実施例７〜１６、比較例８、９）
実施例１〜６で示した洗浄力評価方法を用いて、吐出部におけるノズル孔数、孔の総吐出口面積を種々変えた場合の洗浄力を検討した。また、使用性として洗浄時の疲労の無さに加え、洗浄液のはね返りも検討した。評価基準は○：はね返りはない、×：はね返りがある。なお、洗浄液は表２にある実施例１を用いることとした。表中の水圧は汚垢板より１０ｃｍの距離から吐出口より洗浄液を吐出させたときの１ｃｍ四方の目標にあたる圧力を示している。吐出口面積は吐出部に存在するノズル孔の吐出口の総面積である。また、比較例９においては液体供給ポンプをサンフィールド貿易株式会社製ＳＦＪ−００２パワージェットを用いた。表４に種々の吐出部による洗浄力評価を行った。
【００３７】
【表４】
2005185352.tif 000006
【００３８】
表４の結果にあるように、汚垢にあたる水圧が９８〜９８ｋＰａの範囲のときに本発明が示すように洗浄効果が発揮される。また表４の比較例９にあるように１．７３ＭＰａにおいても洗浄力は十分であるが、洗浄液のはね返りがあるため服を着ての洗浄では濡れる等の問題がある。また、実施例７〜実施例１６において、吐出洗浄液流量は０．０３〜２２．５Ｌ／ｍｉｎであった。
【００３９】
（実施例１７）
＜実家庭における実浴槽評価＞
図５に示す簡易な吐出手段を用いて、上記表４の実施例１０の吐出部２を備えたシャワー装置４０、及び上記表２の実施例２で用いた洗剤２５を用いて４家庭で実浴槽洗浄評価を行った。洗剤２５の供給については、洗剤２５を詰めた可撓性容器からなるカートリッジ４１を逆止弁４３を通して水流経路４４に接続される密封槽４２内に接続し、カートリッジ４１を押すと一定量の洗浄剤２５が逆止弁４３を通して水流に流れ出る機構を採用した。
【００４０】
＜評価方法＞
各家庭の家族（大人２名１軒、大人２名子供２名３軒）全員の入浴後、直ぐに図５に示す簡易な吐出手段を、上記条件で用いて浴槽の洗浄をしてもらった。洗浄方法および評価は、洗剤２５の充填されたカートリッジ４１を継続的に押しながら吐出部２を浴槽の汚れている部分に向け、洗浄してもらい、汚れ落ちを目視および手触りで総合的に評価してもらった。
４家庭における実浴槽洗浄評価の結果、３家庭において従来のスポンジを用いた洗浄と同等の洗浄力であると評価された。また、１家庭ではスポンジを用いたときと同等の洗浄力ではなかったが、ほぼ汚れは除去されたと評価された。
【産業上の利用可能性】
【００４１】
本発明の浴室内の洗浄方法は、１０ｃｍの距離をおいた吹き掛け面に９８Ｐａ〜１．７ＭＰａの範囲で圧力を与えることのできる液吐出手段で界面活性剤とキレート剤を必須成分として含有する洗浄液を浴槽及び／又は浴室付帯設備に吹き掛けると、浴槽面、その他の浴室付帯設備の汚垢を効率よく確実に洗浄でき、その浴室内での作業の手間や労力を低減することができる産業上の利用可能性のあるものである。
【図面の簡単な説明】
【００４２】
【図１】図１は、本発明に係る浴室内の洗浄方法に使用されるシャワー装置（吐出手段）の一部を切り欠いて断面を示した斜視図である。
【図２】図２は、本発明に係る浴室内の洗浄方法に使用されるシャワー装置及び別に洗浄液の収容部が設けた吐出手段の図である。
【図３】図３（ａ）〜（ｃ）は、本発明に係る浴室内の洗浄方法に使用されるシャワー装置（吐出手段）の斜視図、（ａ）のＡ−Ａ線に沿った断面図、及び別の態様を示すシャワー装置の斜視図である。
【図４】図４（ａ）及び（ｂ）は、図１〜図３のシャワー装置に使用される吐出部の平面図、及び吐出部から吐出態様を示す斜視図である。
【図５】図５は、本発明に係る浴室内の洗浄方法の実施例に使用されるシャワー装置（吐出手段）の概略図である。
【符号の説明】
【００４３】
１、１０、２０、３１、４０  シャワー装置
２吐出部
４固形洗剤
５供給ホース
【図１】
2005185352.tif 000007
【図２】
2005185352.tif 000008
【図３】
2005185352.tif 000009
【図４】
2005185352.tif 000010
【図５】
2005185352.tif 000011